(57)【要約】【課題】１チューナタイプの放送受信機において、受信中の放送局の視聴を続けながらサーチを行うことができる「放送局のサーチシステムおよびサーチ方法」を提供する。【解決手段】受信中の放送局に関する情報をスマートフォン２００に送信してサーチの実行を要求するサーチ要求部１３と、この要求に応じて他の放送局をサーチするサーチ処理部２２と、スマートフォン２００からサーチ結果として送られてくる情報に従って、他の放送局に切り替えて受信するようにチューナ１０２を制御する受信切替部１５とを備え、車載機１００では受信中の放送局の受信を継続しつつ、スマートフォン２００で中継局または系列局のサーチを行い、そのサーチが終了したタイミングで、車載機１００で受信する放送局の切り替えを行うことができるようにする。【選択図】図２
2015119438.tif 000002
【特許請求の範囲】
【請求項１】
少なくとも１つのチューナを備えた第１の放送受信機と、少なくとも１つのチューナを備えた第２の放送受信機とを備え、上記第１の放送受信機と上記第２の放送受信機とが相互に通信可能になされた放送局のサーチシステムであって、
上記第１の放送受信機は、
受信中の放送局に関する情報を上記第２の放送受信機に送信して、サーチの実行を要求するサーチ要求部と、
上記サーチ要求部による要求に応じて上記第２の放送受信機から返送されてくる他の放送局に関する情報を受信する放送局情報受信部と、
上記放送局情報受信部により受信された情報に従って、上記他の放送局に切り替えて受信するように上記チューナを制御する受信切替部とを備え、
上記第２の放送受信機は、
上記サーチ要求部による要求に応じて、上記受信中の放送局に関する情報に基づいて、当該受信中の放送局に関する他の中継局または系列局で、かつ、上記受信中の放送局の電界強度よりも電界強度が大きい上記他の放送局をサーチするサーチ処理部と、
上記サーチ処理部によりサーチされた上記他の放送局に関する情報を上記第１の放送受信機に送信する放送局情報送信部とを備えた
ことを特徴とする放送局のサーチシステム。
【請求項２】
上記第１の放送受信機は、
上記受信中の放送局の電界強度を検出する電界強度検出部と、
上記電界強度検出部により検出された電界強度が所定値以下となったか否かを判定する電界強度判定部とを更に備え、
上記サーチ要求部は、上記電界強度判定部により上記電界強度が所定値以下となったと判定された場合に、上記サーチの実行を要求する
ことを特徴とする請求項１に記載の放送局のサーチシステム。
【請求項３】
上記第１の放送受信機は、
上記サーチ要求部が上記サーチの実行を上記第２の放送受信機に要求した後、上記電界強度検出部により随時検出される電界強度を上記第２の放送受信機に随時通知する電界強度通知部を更に備え、
上記サーチ処理部は、上記受信中の放送局に関する他の中継局または系列局で、かつ、上記電界強度通知部により随時通知される電界強度よりも電界強度が大きい上記他の放送局をサーチする
ことを特徴とする請求項２に記載の放送局のサーチシステム。
【請求項４】
上記第２の放送受信機は、上記サーチ処理部によるサーチ中の放送局の電界強度を検出する第２の電界強度検出部を更に備え、当該第２の電界強度検出部は、上記サーチ処理部が上記第１の放送受信機から上記サーチの実行の要求と共に上記受信中の放送局に関する情報を受信した時点で、当該受信中の放送局について上記第２の放送受信機での電界強度を検出し、
上記第１の放送受信機または第２の放送受信機は、
上記サーチ要求部が上記サーチの実行を上記第２の放送受信機に要求した時点で上記電界強度検出部により検出された電界強度と、上記第２の放送受信機が上記要求を受けた時点で上記第２の電界強度検出部により検出された電界強度との差分から補正値を算出する補正値算出部と、
上記電界強度検出部により検出された上記受信中の放送局の電界強度または上記第２の電界強度検出部により検出された上記サーチ中の放送局の電界強度を上記補正値算出部により算出された補正値によって補正する電界強度補正部とを更に備え、
上記サーチ処理部は、上記電界強度補正部により補正された電界強度を利用して、上記他の放送局をサーチする
ことを特徴とする請求項３に記載の放送局のサーチシステム。
【請求項５】
少なくとも１つのチューナを備えた第１の放送受信機と、少なくとも１つのチューナを備えた第２の放送受信機とを備え、上記第１の放送受信機と上記第２の放送受信機とが相互に通信可能になされたシステムにおいて実行する放送局のサーチ方法であって、
上記第１の放送受信機のサーチ要求部が、受信中の放送局に関する情報を上記第２の放送受信機に送信して、サーチの実行を要求する第１のステップと、
上記第２の放送受信機のサーチ処理部が、上記サーチ要求部による要求に応じて、上記受信中の放送局に関する情報に基づいて、当該受信中の放送局に関する他の中継局または系列局で、かつ、上記受信中の放送局の電界強度よりも電界強度が大きい他の放送局をサーチする第２のステップと、
上記第２の放送受信機の放送局情報送信部が、上記サーチ処理部によりサーチされた上記他の放送局に関する情報を上記第１の放送受信機に送信する第３のステップと、
上記第１の放送受信機の放送局情報受信部が、上記放送局情報送信部により送信された上記他の放送局に関する情報を受信する第４のステップと、
上記第１の放送受信機の受信切替部が、上記放送局情報受信部により受信された情報に従って、上記他の放送局に切り替えて受信するように上記チューナを制御する第５のステップとを有する
ことを特徴とする放送局のサーチ方法。
【発明の詳細な説明】
【技術分野】
【０００１】
本発明は、放送局のサーチシステムおよびサーチ方法に関し、特に、受信中の放送局の電界強度の低下に伴いサーチを実行するシステムに用いて好適なものである。
【背景技術】
【０００２】
従来、テレビやラジオなどの放送波を受信し、所望の放送番組をユーザが視聴できるようにした車載用の放送受信機が提供されている。車載用の放送受信機では、ある放送局の放送の視聴中に、車両がその放送局の受信可能エリアを外れて移動すると、それまで視聴していた放送局の受信ができなくなるという問題がある。
【０００３】
この問題に対して、移動先のエリアにおいても受信を継続できるようにした放送受信機が知られている。この種の放送受信機では、視聴中の放送局の電界強度が所定値以下に低下した場合に、サーチを開始し、それまで視聴していた放送局に関する他の中継局や、当該放送局と系列関係にある系列局を探す。そして、より受信感度が良好な中継局または系列局の新たな放送局が見つかれば、当該新たな放送局を選局して受信動作を行うようになされている。
【０００４】
なお、放送受信機には、１つのチューナのみを内蔵したものと、複数のチューナを内蔵したものとが存在する。１チューナタイプの放送受信機の場合、特定の放送局の受信中（放送の視聴中）は、中継局や系列局のサーチを行うことができない。もし、サーチを行った場合、特定の放送局の受信ができなくなり、視聴ができなくなってしまう。すなわち、県境など放送局が切り替わるタイミングで、放送局の受信がいったん途切れてしまうという問題があった。
【０００５】
これに対し、複数チューナタイプの放送受信機の場合は、特定の放送局の受信を続けながら中継局や系列局のサーチを実行することができる。例えば、放送受信機が備える複数のチューナを受信用チューナとサーチ用チューナとに分けて、受信を続けながらサーチを行うようにした技術が知られている（例えば、特許文献１〜３参照）。しかしながら、複数のチューナを備えた放送受信機であっても、サーチのために少なくとも１つのチューナを占用するため、ダイバーシティ合成の有用性を活用し切れないという問題があった。
【０００６】
なお、４つのチューナを備えた放送受信装置において、４ダイバ合成によるＣ／Ｎ値がフルセグメント受信のためのしきい値以下になった場合に、ワンセグメント放送の番組に切替えるとともに、２つのチューナにより現在の放送局を受信させ、残り２つのチューナにより中継局をサーチさせるようにした技術も知られている（例えば、特許文献４参照）。
【０００７】
この特許文献４に記載の技術によれば、一応はダイバーシティ合成の機能を活用することが可能である。しかしながら、放送受信機が備える４つのチューナをダイバーシティ合成のためにフル活用することができず、やはりダイバーシティ合成の有用性を活用し切れないという問題があった。
【先行技術文献】
【特許文献】
【０００８】
【特許文献１】特開２００９−１９４６０３号公報
【特許文献２】特開２０１０−２５８５５４号公報
【特許文献３】特開２０１２−２３１３１７号公報
【特許文献４】特開２０１３−１５００５６号公報
【発明の概要】
【発明が解決しようとする課題】
【０００９】
本発明は、このような問題を解決するために成されたものであり、１チューナタイプの放送受信機において、受信中の放送局の視聴を続けながらサーチを行うことができるようにすることを目的とする。また、本発明は、複数チューナタイプの放送受信機において、ダイバーシティ合成の有用性をフル活用しながらサーチを行うことができるようにすることを目的とする。
【課題を解決するための手段】
【００１０】
上記した課題を解決するために、本発明では、第１の放送受信機は、受信中の放送局に関する情報を第２の放送受信機に送信してサーチの実行を要求する。第２の放送受信機は、この要求に応じて、上記受信中の放送局に関する他の中継局または系列局で、かつ、上記受信中の放送局の電界強度よりも電界強度が大きい他の放送局をサーチし、そのサーチ結果を第１の放送受信機に送信する。そして、第１の放送受信機は、第２の放送受信機からサーチ結果として返送されてくる他の放送局に関する情報に従って、当該他の放送局に切り替えて受信するようにチューナを制御する。
【発明の効果】
【００１１】
上記のように構成した本発明によれば、例えば第１の放送受信機が１つのチューナのみを備える放送受信機の場合、第１の放送受信機ではそれまで受信中の放送局の受信を継続しつつ、第２の放送受信機で中継局または系列局のサーチを行い、そのサーチが終了したタイミングで、当該サーチの結果を利用して、第１の受信機で受信する放送局の切り替えを行うことができる。これにより、第１の受信機で受信中の放送局の視聴を続けながらサーチを行うことができる。
【００１２】
また、本発明によれば、例えば第１の放送受信機が複数のチューナを備える放送受信機の場合、第１の放送受信機では当該複数のチューナを用いてダイバーシティ合成による受信を継続しつつ、第２の放送受信機で中継局または系列局のサーチを行い、そのサーチが終了したタイミングで、当該サーチの結果を利用して、第１の受信機で受信する放送局の切り替えを行うことができる。これにより、第１の受信機でダイバーシティ合成の有用性をフル活用しながらサーチを行うことができる。
【図面の簡単な説明】
【００１３】
【図１】第１〜第３の実施形態による放送局のサーチシステムの全体構成を示す図である。
【図２】第１の実施形態による車載機およびスマートフォンの要部構成例を示すブロック図である。
【図３】第１の実施形態による放送局のサーチシステムの動作例を示すフローチャートである。
【図４】第２の実施形態による車載機およびスマートフォンの要部構成例を示すブロック図である。
【図５】第２の実施形態によるサーチ処理部の動作を説明するための図である。
【図６】第３の実施形態による車載機およびスマートフォンの要部構成例を示すブロック図である。
【図７】第２の実施形態の課題を説明するための図である。
【図８】第３の実施形態による電界強度補正部およびサーチ処理部の動作を説明するための図である。
【図９】第３の実施形態による電界強度補正部およびサーチ処理部の動作を説明するための図である。
【図１０】第３の実施形態による放送局のサーチシステムの動作例を示すフローチャートである。
【図１１】第３の実施形態による電界強度補正部およびサーチ処理部の別の動作を説明するための図である。
【発明を実施するための形態】
【００１４】
（第１の実施形態）
以下、本発明の第１の実施形態を図面に基づいて説明する。図１は、第１の実施形態による放送局のサーチシステムの全体構成を示す図である。図１に示すように、第１の実施形態による放送局のサーチシステムは、少なくとも１つのチューナを備えた車載機１００（第１の放送受信機に相当）と、少なくとも１つのチューナを備えたスマートフォン２００（第２の放送受信機に相当）とを備え、車載機１００とスマートフォン２００とが通信ネットワーク３００を介して相互に通信可能になされている。
【００１５】
車載機１００とスマートフォン２００との間を接続する通信ネットワーク３００は、ＵＳＢ（Universal Serial Bus）等のような有線ネットワークであってもよいし、Ｂｌｕｅｔｏｏｔｈ（登録商標）やＷｉＦｉのような無線ネットワークであってもよい。
【００１６】
図２は、第１の実施形態による車載機１００およびスマートフォン２００の要部構成例を示すブロック図である。図２に示すように、第１の実施形態による車載機１００は、アンテナ１０１、チューナ１０２、ＯＦＤＭ復調部１０３、誤り訂正部１０４、デマルチプレクサ部１０５、オーディオデコーダ部１０６、ビデオデコーダ部１０７、データデコーダ部１０８および制御部１１０を備えている。制御部１１０は、その機能構成として、電界強度検出部１１、電界強度判定部１２、サーチ要求部１３、放送局情報受信部１４および受信切替部１５を備えている。
【００１７】
また、第１の実施形態によるスマートフォン２００は、アンテナ２０１、チューナ２０２、ＯＦＤＭ復調部２０３、誤り訂正部２０４、デマルチプレクサ部２０５、オーディオデコーダ部２０６、ビデオデコーダ部２０７、データデコーダ部２０８および制御部２１０を備えている。制御部２１０は、その機能構成として、電界強度検出部２１、サーチ処理部２２および放送局情報送信部２３を備えている。
【００１８】
まず、車載機１００の構成について説明する。アンテナ１０１は、デジタル放送の電波を受信する。チューナ１０２は、アンテナ１０１によって受信したデジタル放送の電波から所望のチャンネルに合致した受信周波数の放送波信号を選択的に抽出して出力する。
【００１９】
ＯＦＤＭ復調部１０３は、チューナ１０２で受信した放送波信号をＯＦＤＭ（Orthogonal Frequency-Division Multiplexing）復調してトランスポートストリーム（Transport Stream：以下、ＴＳと記す）を得る。誤り訂正部１０４は、ＯＦＤＭ復調部１０３により復調されたＴＳに対して、伝送路で発生した誤りの訂正を実行する。
【００２０】
デマルチプレクサ部１０５は、多重化されているＴＳを分離して映像ストリーム、音声ストリームおよびデータストリームを得る。そして、デマルチプレクサ部１０５は、音声ストリームをオーディオデコーダ部１０６に出力し、映像ストリームをビデオデコーダ部１０７に出力し、データストリームをデータデコーダ部１０８に出力する。
【００２１】
ここで、データストリームには、受信中の放送局に関する情報、受信した信号の誤り率を表すＢＥＲ（Bit Error Rate）などが含まれている。受信中の放送局に関する情報には、放送番組の名称や放送日時などの番組に関する情報や、放送局名、ＴＳＩＤ、系列局ＩＤ、物理チャンネルなどチャンネルに関する情報が含まれている。
【００２２】
放送局名は、受信中の放送局の名称を示す。ＴＳＩＤは、放送局固有のＩＤであり、全国で一意のＩＤが割り振られている。系列局ＩＤは、放送局がどの系列に属しているのかを示すＩＤである。例えば、系列局ＩＤ＝０の場合はＮＨＫ総合、系列局ＩＤ＝１の場合はＮＨＫ教育、系列局ＩＤ＝２の場合は日本テレビといったように、系列固有のＩＤが割り振られている。物理チャンネルは、放送局のチャンネル（受信周波数）を示す情報である。
【００２３】
オーディオデコーダ部１０６は、入力した音声ストリームをデコードし、音声信号としてスピーカ（図示せず）から出力する。ビデオデコーダ部１０７は、入力した映像ストリームをデコードし、映像信号としてディスプレイ（図示せず）に出力する。データデコーダ部１０８は、入力したデータストリームをデコードして制御データとして制御部１１０に出力する。
【００２４】
制御部１１０は、車載機１００の全体の動作を制御する。すなわち、制御部１１０は、チューナ１０２、ＯＦＤＭ復調部１０３、誤り訂正部１０４、デマルチプレクサ部１０５、オーディオデコーダ部１０６、ビデオデコーダ部１０７およびデータデコーダ部１０８の動作を制御する。
【００２５】
制御部１１０の電界強度検出部１１は、例えばデータデコーダ部１０８から供給されるＢＥＲに基づいて、車載機１００で受信中の放送局の電界強度を検出する。電界強度判定部１２は、電界強度検出部１１により検出された電界強度が所定値以下となったか否かを判定する。サーチ要求部１３は、電界強度判定部１２により電界強度が所定値以下となったと判定された場合、データデコーダ部１０８から供給される受信中の放送局に関する情報をスマートフォン２００に送信してサーチの実行を要求する。
【００２６】
放送局情報受信部１４は、サーチ要求部１３による要求に応じてスマートフォン２００から返送されてくる他の放送局に関する情報を受信する。ここで、他の放送局とは、車載機１００で受信中の放送局に関する他の中継局または系列局である。また、当該他の放送局に関する情報は、少なくとも物理チャンネルの情報があればよい。なお、放送局名、ＴＳＩＤ、系列局ＩＤなどの情報が含まれていてもよい。
【００２７】
受信切替部１５は、放送局情報受信部１４により受信された他の放送局に関する物理チャンネルの情報に従って、当該他の放送局に切り替えて受信するようにチューナ１０２を制御する。
【００２８】
次に、スマートフォン２００の構成について説明する。アンテナ２０１は、デジタル放送の電波を受信する。チューナ２０２は、アンテナ２０１によって受信したデジタル放送の電波から所望のチャンネルに合致した受信周波数の放送波信号を選択的に抽出して出力する。ＯＦＤＭ復調部２０３は、チューナ２０２で受信した放送波信号をＯＦＤＭ２復調してＴＳを得る。
【００２９】
誤り訂正部２０４は、ＯＦＤＭ復調部２０３により復調されたＴＳに対して、伝送路で発生した誤りの訂正を実行する。デマルチプレクサ部２０５は、多重化されているＴＳを分離して映像ストリーム、音声ストリームおよびデータストリームを得る。そして、デマルチプレクサ部２０５は、音声ストリームをオーディオデコーダ部２０６に出力し、映像ストリームをビデオデコーダ部２０７に出力し、データストリームをデータデコーダ部２０８に出力する。
【００３０】
オーディオデコーダ部２０６は、入力した音声ストリームをデコードし、音声信号としてスピーカ（図示せず）から出力する。ビデオデコーダ部２０７は、入力した映像ストリームをデコードし、映像信号としてディスプレイ（図示せず）に出力する。データデコーダ部２０８は、入力したデータストリームをデコードして制御データとして制御部２１０に出力する。
【００３１】
制御部２１０は、スマートフォン２００の全体の動作を制御する。すなわち、制御部２１０は、チューナ２０２、ＯＦＤＭ復調部２０３、誤り訂正部２０４、デマルチプレクサ部２０５、オーディオデコーダ部２０６、ビデオデコーダ部２０７およびデータデコーダ部２０８の動作を制御する。
【００３２】
制御部１１０の電界強度検出部２１は、例えばデータデコーダ部２０８から供給されるＢＥＲに基づいて、スマートフォン２００でサーチ中の放送局の電界強度を検出する。サーチ処理部２２は、車載機１００のサーチ要求部１３により送られてきた要求に応じて、当該要求と共に送られてくる受信中の放送局に関する情報に基づいて、当該受信中の放送局に関する他の中継局または系列局で、かつ、受信中の放送局の電界強度（例えば、サーチ要求を送信するトリガとなる所定値）よりも電界強度が大きい他の放送局をサーチする。
【００３３】
なお、受信中の放送局に関する他の中継局は、受信中の放送局とＴＳＩＤが同一で物理チャンネルが異なる放送局が該当する。また、系列局は、受信中の放送局とＴＳＩＤは異なるものの系列局ＩＤが同一の放送局が該当する。サーチ処理部２２は、このような他の中継局または系列局で、電界強度検出部２１により検出される電界強度が所定値よりも大きい他の放送局をサーチする。
【００３４】
放送局情報送信部２３は、サーチ処理部２２によりサーチされた他の放送局に関する情報（上述したように、少なくとも物理チャンネルの情報）を車載機１００に送信する。
【００３５】
図３は、上記のように構成した第１の実施形態による放送局のサーチシステムの動作例を示すフローチャートである。図３に示すフローチャートは、車載機１００とスマートフォン２００とを通信ネットワーク３００を介して接続し、車載機１００にてある放送局の受信を指示したときに開始する。
【００３６】
まず、車載機１００の電界強度検出部１１は、データデコーダ部１０８から供給されるＢＥＲに基づいて、受信中の放送局の電界強度を検出する（ステップＳ１）。そして、電界強度判定部１２は、電界強度検出部１１により検出された電界強度が所定値以下となったか否かを判定する（ステップＳ２）。ここで、電界強度が所定値以下になっていない場合、処理はステップＳ１に戻る。
【００３７】
一方、電界強度判定部１２により電界強度が所定値以下になったと判定された場合、サーチ要求部１３は、データデコーダ部１０８から供給される受信中の放送局に関する情報をスマートフォン２００に送信してサーチの実行を要求する（ステップＳ３）。
【００３８】
スマートフォン２００のサーチ処理部２２は、車載機１００のサーチ要求部１３により送られてきた要求に応じて、当該要求と共に送られてきた受信中の放送局に関する情報に基づいて、サーチ処理を実行する（ステップＳ４）。すなわち、サーチ処理部２２は、車載機１００で受信中の放送局に関する他の中継局または系列局で、かつ、電界強度が所定値より大きい他の放送局をサーチする。
【００３９】
放送局情報送信部２３は、サーチ処理部２２によりサーチされた他の放送局に関する情報を車載機１００に送信する（ステップＳ５）。車載機１００の放送局情報受信部１４は、スマートフォン２００から送られてくる他の放送局に関する情報を受信する（ステップＳ６）。そして、受信切替部１５は、放送局情報受信部１４により受信された他の放送局に関する情報に従って、当該他の放送局に切り替えて受信するようにチューナ１０２を制御する（ステップＳ７）。これにより、図３に示すフローチャートの処理をいったん終了し、再びステップＳ１から処理を開始する。
【００４０】
以上詳しく説明したように、第１の実施形態では、車載機１００で受信中の放送局の電界強度が所定値以下となった場合、車載機１００は受信中の放送局に関する情報をスマートフォン２００に送信してサーチの実行を要求する。スマートフォン２００は、この要求に応じて、車載機１００で受信中の放送局に関する他の中継局または系列局をサーチし、そのサーチ結果を車載機１００に送信する。そして、車載機１００は、スマートフォン２００からサーチ結果として返送されてくるサーチ結果の情報に従って、他の放送局に切り替えて受信する。
【００４１】
このように構成した第１の実施形態によれば、車載機１００ではそれまでチューナ１０２にて受信中の放送局の受信を継続しつつ、スマートフォン２００のチューナ２０２で中継局または系列局のサーチを行い、そのサーチが終了したタイミングで、当該サーチの結果を利用して、車載機１００で受信する放送局の切り替えを行うことができる。これにより、車載機１００で受信中の放送局の視聴を続けながらサーチを行うことができる。
【００４２】
なお、上記第１の実施形態では、車載機１００がチューナ１０２を１つのみ備える構成について説明したが、複数のチューナを備える場合には、次のようなメリットを有する。すなわち、車載機１００では複数のチューナを用いてダイバーシティ合成による受信を継続しつつ、スマートフォン２００で中継局または系列局のサーチを行い、そのサーチが終了したタイミングで、当該サーチの結果を利用して、車載機１００で受信する放送局の切り替えを行うことができる。これにより、車載機１００でダイバーシティ合成の有用性をフル活用しながらサーチを行うことができる。
【００４３】
（第２の実施形態）
次に、本発明の第２の実施形態を図面に基づいて説明する。第２の実施形態による放送局のサーチシステムの全体構成は、図１と同様である。図４は、第２の実施形態による車載機１００およびスマートフォン２００の要部構成例を示すブロック図である。なお、この図４において、図２に示した符号と同一の符号を付したものは同一の機能を有するものであるので、ここでは重複する説明を省略する。
【００４４】
図４に示すように、第２の実施形態による車載機１００が備える制御部１１０は、その機能構成として、電界強度通知部１６を更に備えている。また、第２の実施形態によるスマートフォン２００が備える制御部２１０は、その機能構成として、電界強度受信部２４を更に備えるとともに、サーチ処理部２２の代わりにサーチ処理部２２’を備えている。
【００４５】
車載機１００の電界強度通知部１６は、サーチ要求部１３がサーチの実行をスマートフォン２００に要求した後、電界強度検出部１１により随時検出される電界強度をスマートフォン２００に随時通知する。スマートフォン２００の電界強度受信部２４は、車載機１００の電界強度通知部１６により随時通知される電界強度を随時受信する。サーチ処理部２２’は、車載機１００で受信中の放送局に関する他の中継局または系列局で、かつ、電界強度受信部２４が車載機１００から随時受信した受信中の放送局の電界強度よりも電界強度が大きい他の放送局をサーチする。
【００４６】
図５は、サーチ処理部２２’の動作を説明するための図である。図５に示すグラフにおいて、縦軸は電界強度、横軸は時間である。符号５１で示す直線は、車載機１００の電界強度検出部１１により検出される電界強度を模式的に示したものであり、受信中の放送局の電界強度が時間の経過（車両の移動）と共に低下していく様子が示されている。
【００４７】
符号５２で示す直線は、スマートフォン２００の電界強度検出部２１により検出される電界強度を模式的に示したものであり、車載機１００で受信中の放送局に関する他の中継局または系列局の電界強度が時間の経過（車両の移動）と共に上昇していく様子が示されている。
【００４８】
図５に示すように、サーチ処理部２２’は、車載機１００で受信中の放送局の電界強度５１が所定値以下となったタイミングで、車載機１００から送られてくる要求を受けて、他の放送局（中継局または系列局）のサーチを開始する。そして、他の放送局の電界強度５２が、車載機１００で受信中の放送局の電界強度５１よりも所定差ΔＳをもって大きくなった時点でサーチを終了する。そして、サーチ処理部２２’によるサーチが終了したタイミングで、放送局情報送信部２３はサーチされた他の放送局に関する情報を車載機１００に送信する。
【００４９】
このように構成した第２の実施形態によれば、電界強度が所定値より大きくなる他の放送局をサーチしていた第１の実施形態に比べて、受信中の放送局から他の中継局または系列局に切り替えるタイミングを早くすることができるというメリットを有する。
【００５０】
（第３の実施形態）
次に、本発明の第３の実施形態を図面に基づいて説明する。第３の実施形態による放送局のサーチシステムの全体構成は、図１と同様である。図６は、第３の実施形態による車載機１００およびスマートフォン２００の要部構成例を示すブロック図である。なお、第３の実施形態は、第２の実施形態に改良を加えたものである。図６において、図４に示した符号と同一の符号を付したものは同一の機能を有するものであるので、ここでは重複する説明を省略する。
【００５１】
図４に示した第２の実施形態のように、車載機１００により所望の放送局の受信を行う一方でスマートフォン２００によりサーチを行う場合、車載機１００の受信感度とスマートフォン２００の受信感度とが異なるため、同じ放送局を受信する場合でも、それぞれの電界強度検出部１１，２１で検出される電界強度にバラツキが生じてしまうことがある。
【００５２】
これにより、車載機１００で検出される電界強度がスマートフォン２００で検出される電界強度より大きい場合には、図７（ａ）のように放送局を切り替えるタイミングが遅くなり、他の放送局に切り替えた方がよいのに現在受信中の放送局を継続して受信してしまうことになる。一方、車載機１００で検出される電界強度がスマートフォン２００で検出される電界強度より小さい場合には、図７（ｂ）のように放送局を切り替えるタイミングが早くなり、現在受信中の放送局をまだ継続して受信した方がよいのに他の放送局に切り替えてしまうことになる。
【００５３】
これに対し、放送局の切り替えタイミングを調整するようにしたのが第３の実施形態である。図６に示すように、第３の実施形態によるスマートフォン２００が備える制御部２１０は、その機能構成として、補正値算出部２５および電界強度補正部２６を更に備えるとともに、電界強度検出部２１およびサーチ処理部２２’の代わりに電界強度検出部２１”およびサーチ処理部２２”を備える。なお、電界強度検出部２１”は、本発明の第２の電界強度検出部に相当する。
【００５４】
電界強度検出部２１”は、サーチ処理部２２”が車載機１００からサーチの実行の要求と共に受信中の放送局に関する情報を受信した時点で、当該受信中の放送局についてスマートフォン２００での電界強度を検出する。すなわち、サーチ処理部２２”が受信した放送局に関する物理チャンネルの情報に従ってチューナ２０２を選局することにより、車載機１００で受信中の放送局と同じ放送局をスマートフォン２００でも受信する。この状態で、電界強度検出部２１”は、データデコーダ部２０８から供給されるＢＥＲに基づいて、電界強度を検出する。
【００５５】
補正値算出部２５は、サーチ要求部１３がサーチの実行をスマートフォン２００に要求した時点で電界強度検出部１１により検出された電界強度（すなわち、当該要求をした時点で電界強度通知部１６から電界強度受信部２４に通知された電界強度）と、その要求をサーチ処理部２２”が受けた時点で上述のように電界強度検出部２１”により検出された電界強度との差分から電界強度の補正値を算出する。例えば、補正値算出部２５は、電界強度検出部１１により検出された車載機１００での電界強度から電界強度検出部２１”により検出されたスマートフォン２００での電界強度を減算し、その減算値を補正値として算出する。
【００５６】
電界強度補正部２６は、サーチ処理部２２”がサーチを実行する際に、電界強度検出部２１”により検出されたサーチ中の放送局の電界強度を、補正値算出部２５により算出された補正値によって補正する。上述のように減算値を補正値とする場合、電界強度補正部２６は、電界強度検出部２１”により検出された電界強度に対して、補正値算出部２５により算出された補正値を加算することによって補正を実行する。
【００５７】
サーチ処理部２２”は、電界強度補正部２６により補正された電界強度を利用して、他の放送局をサーチする。図８は、電界強度補正部２６およびサーチ処理部２２”の動作を説明するための図である。図８に示すグラフにおいて、符号５１で示す直線は、車載機１００の電界強度検出部１１により検出される電界強度を模式的に示したものであり、受信中の放送局の電界強度が時間の経過（車両の移動）と共に低下していく様子が示されている。
【００５８】
符号５２で示す直線は、スマートフォン２００の電界強度検出部２１”により検出される電界強度を模式的に示したものであり、車載機１００で受信中の放送局に関する他の中継局または系列局の電界強度が時間の経過（車両の移動）と共に上昇していく様子が示されている。また、符号５２”で示す直線は、補正値算出部２５により算出された補正値を電界強度５２に加算することによって補正された電界強度を模式的に示したものである。
【００５９】
図８に示すように、サーチ処理部２２”は、車載機１００で受信中の放送局の電界強度５１が所定値以下となったタイミングで、車載機１００から送られてくる要求を受けて、他の放送局（中継局または系列局）のサーチを開始する。サーチの開始後、電界強度補正部２６は、電界強度検出部２１”により検出される他の放送局の電界強度５２に補正値を加算する。図８の例は、補正値算出部２５により算出された補正値が正の値であった場合を示している。
【００６０】
サーチ処理部２２”は、補正された他の放送局の電界強度５２”が、車載機１００で受信中の放送局の電界強度５１よりも所定差ΔＳをもって大きくなった時点でサーチを終了する。そして、サーチ処理部２２”によるサーチが終了したタイミングで、放送局情報送信部２３はサーチされた他の放送局に関する情報を車載機１００に送信する。これにより、図７（ａ）のように放送局の切り替えタイミングが遅くなってしまうのを回避することができる。
【００６１】
なお、補正値算出部２５により算出された補正値が負の値であった場合は、電界強度補正部２６およびサーチ処理部２２”の動作は図９のようになる。これにより、図７（ｂ）のように放送局の切り替えタイミングが早くなってしまうのを回避することができる。
【００６２】
図１０は、上記のように構成した第３の実施形態による放送局のサーチシステムの動作例を示すフローチャートである。図１０に示すフローチャートは、車載機１００とスマートフォン２００とを通信ネットワーク３００を介して接続し、車載機１００にてある放送局の受信を指示したときに開始する。
【００６３】
まず、車載機１００の電界強度検出部１１は、データデコーダ部１０８から供給されるＢＥＲに基づいて、受信中の放送局の電界強度を検出する（ステップＳ１１）。そして、電界強度判定部１２は、電界強度検出部１１により検出された電界強度が所定値以下となったか否かを判定する（ステップＳ１２）。ここで、電界強度が所定値以下になっていない場合、処理はステップＳ１１に戻る。
【００６４】
一方、電界強度判定部１２により電界強度が所定値以下になったと判定された場合、サーチ要求部１３は、データデコーダ部１０８から供給される受信中の放送局に関する情報をスマートフォン２００に送信してサーチの実行を要求する（ステップＳ１３）。また、電界強度通知部１６は、サーチ要求部１３がサーチの実行をスマートフォン２００に要求した時点で電界強度検出部１１により検出された電界強度をスマートフォン２００に通知する（ステップＳ１４）。
【００６５】
スマートフォン２００の電界強度検出部２１”は、サーチ処理部２２”が車載機１００からサーチの実行の要求と共に受信中の放送局に関する情報を受信した時点で、当該受信中の放送局についてスマートフォン２００での電界強度を検出する（ステップＳ１５）。そして、補正値算出部２５は、ステップＳ１４で電界強度通知部１６から電界強度受信部２４に通知された車載機１００での電界強度と、ステップＳ１５で電界強度検出部２１”により検出されたスマートフォン２００での電界強度との差分から補正値を算出する（ステップＳ１６）。
【００６６】
その後、電界強度補正部２６は、電界強度検出部２１”により検出された電界強度を補正値算出部２５により算出された補正値によって補正する（ステップＳ１７）。そして、サーチ処理部２２”は、電界強度補正部２６により補正された電界強度を利用してサーチ処理を実行する（ステップＳ１８）。このサーチ処理を行っている間、車載機１００の電界強度通知部１６は電界強度を随時スマートフォン２００に通知しており、スマートフォン２００の電界強度検出部２１”および電界強度補正部２６は補正された電界強度を随時算出している。サーチ処理部２２”は、車載機１００で受信中の放送局に関する他の中継局または系列局で、かつ、電界強度受信部２４が車載機１００から随時受信した放送局の電界強度よりも、補正された電界強度がΔＳをもって大きい他の放送局をサーチする。
【００６７】
放送局情報送信部２３は、サーチ処理部２２”によりサーチされた他の放送局に関する情報を車載機１００に送信する（ステップＳ１９）。車載機１００の放送局情報受信部１４は、スマートフォン２００から送られてくる他の放送局に関する情報を受信する（ステップＳ２０）。そして、受信切替部１５は、放送局情報受信部１４により受信された他の放送局に関する情報に従って、当該他の放送局に切り替えて受信するようにチューナ１０２を制御する（ステップＳ２１）。これにより、図１０に示すフローチャートの処理をいったん終了し、再びステップＳ１１から処理を開始する。
【００６８】
このように構成した第３の実施形態によれば、電界強度の補正値を用いることによって、スマートフォン２００の受信感度を車載機１００の受信感度と仮想的に同じ状態とすることができる。これにより、車載機１００およびスマートフォン２００のそれぞれで検出される電界強度のバラツキを相殺し、早すぎも遅すぎもしない適切なタイミングで放送局の切り替えを行うことができる。
【００６９】
なお、上記第３の実施形態では、車載機１００での電界強度からスマートフォン２００での電界強度を減算することによって補正値を算出し、電界強度検出部２１”により検出されたスマートフォン２００での電界強度に対して補正値を加算することによって補正を実行する例について説明したが、本発明はこれに限定されない。例えば、図１１に示すように、車載機１００からスマートフォン２００に随時通知される車載機１００での電界強度から補正値を減算することによって補正を実行するようにしてもよい。
【００７０】
また、上記第３の実施形態では、補正値算出部２５をスマートフォン２００が備える構成について説明したが、車載機１００が備えるようにしてもよい。この場合、サーチ処理部２２”が車載機１００からサーチの実行の要求を受信した時点で電界強度検出部２１”により検出されたスマートフォン２００での電界強度を車載機１００に通知し、車載機１００において電界強度の差分から補正値を算出する。そして、その補正値をスマートフォン２００に通知する。
【００７１】
また、上記第３の実施形態では、電界強度補正部２６をスマートフォン２００が備える構成について説明したが、車載機１００が備えるようにしてもよい。この場合、車載機１００に電界強度通知部１６を設けてスマートフォン２００に電界強度受信部２４を設けるのとは逆に、スマートフォン２００に電界強度通知部を設けて車載機１００に電界強度受信部を設ける。
【００７２】
また、上記第１〜第３の実施形態では、車載機１００で受信中の放送局の電界強度が所定値以下となった場合に、車載機１００からスマートフォン２００に対してサーチの実行を要求する例について説明したが、サーチ要求を行うタイミングはこれに限らない。例えば、前回サーチを行ったときから所定時間が経過したか否かを判定し、所定時間が経過したタイミングでサーチの実行を要求するようにしてもよい。または、前回サーチを行ったときから車両が所定距離移動したか否かを判定し、所定距離移動したタイミングでサーチの実行を要求するようにしてもよい。または、ユーザが車載機１００の操作部を操作してサーチの実行を指示したタイミングとしてもよい。その他、サーチの実行を要求するタイミングは任意に設計することが可能である。
【００７３】
また、上記第１〜第３の実施形態では、第１の放送受信機の一例として車載機１００を挙げ、第２の放送受信機の一例としてスマートフォン２００を挙げて説明したが、本発明はこれに限定されない。例えば、第１の放送受信機をスマートフォン２００、第２の放送受信機を車載機１００としてもよい。この場合、車載機１００が複数のチューナを備えた構成であれば、複数のスマートフォン２００と１つの車載機１００とが接続された状態で、各スマートフォン２００でそれぞれ所望の放送局の受信を継続して実行したまま、車載機１００において各スマートフォン２００からの要求に応じてサーチを実行することができる。なお、チューナを備えて放送波を受信できるものであれば、車載機１００やスマートフォン２００以外の電子機器を用いてもよい。
【００７４】
その他、上記第１〜第３の実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００７５】
１１  電界強度検出部
１２  電界強度判定部
１３  サーチ要求部
１４  放送局情報受信部
１５  受信切替部
１６  電界強度通知部
２１，２１”  電界強度検出部（第２の電界強度検出部）
２２，２２’，２２”  サーチ処理部
２３  放送局情報送信部
２４  電界強度受信部
２５  補正値算出部
２６  電界強度補正部
１００  車載機（第１の放送受信機）
１０２  チューナ
２００  スマートフォン（第２の放送受信機）
２０２  チューナ
【図１】
2015119438.tif 000003
【図２】
2015119438.tif 000004
【図３】
2015119438.tif 000005
【図４】
2015119438.tif 000006
【図５】
2015119438.tif 000007
【図６】
2015119438.tif 000008
【図７】
2015119438.tif 000009
【図８】
2015119438.tif 000010
【図９】
2015119438.tif 000011
【図１０】
2015119438.tif 000012
【図１１】
2015119438.tif 000013